(57)【要約】【課題】受信された画像情報がオリジナルで出力されたものか、受信後、記録部の能力に応じて、その内容が変更された画像として記録されたものかを記録結果から事後確認することである。【解決手段】制御部２４が受信して記憶手段に記憶される画像情報がカラー画像であるかモノクロ画像であるか、または記録部の記録能力を判別し、該判別結果に従い、受信した画像情報と現在の記録能力との一致または不一致を判別して、該判別結果を示す不一致あるいは一致を示す情報を受信している画像情報に合成して、ユーザにより不一致による弊害を許容する指示がある場合に、不一致を示す情報が合成された合成画像情報を記録ヘッド５により強制的に記録するする構成を特徴とする。【選択図】　　　図１
2004032255.tif 000002
【特許請求の範囲】
【請求項１】
モノクロとカラーの画像情報を受信し、該画像情報を複数の記録能力から１つを選択して記録処理を実行可能な記録部を備える画像処理装置であって、
受信して記憶手段に記憶される画像情報がカラー画像であるかモノクロ画像であるか、または前記記録部の記録能力を判別する第１の判別手段と、
前記第１の判別手段とによる判別結果に従い、受信した画像情報と現在の記録能力との一致または不一致を判別する第２の判別手段と、
前記第２の判別手段による判別結果に基づく不一致あるいは一致を示す情報を受信している前記画像情報に合成する画像合成手段と、
前記第２の判別手段により不一致と判別された場合に、ユーザにより前記不一致による弊害を許容する指示がある場合に、前記画像合成手段により前記不一致を示す情報が合成された合成画像情報を前記第１の判別手段により判別された記録部により強制的に記録する記録制御手段と、
を有することを特徴とする画像処理装置。
【請求項２】
前記記録制御手段は、前記第２の判別手段により一致と判別された場合に、前記画像合成手段により前記一致を示す情報が画像合成された合成画像情報を前記第１の判別手段により判別された記録部により記録することを特徴とする請求項１記載の画像処理装置。
【請求項３】
前記画像合成手段は、既に一度受信した画像情報の記録を実行した旨を示す情報を前記画像情報に合成可能とすることを特徴とする請求項１記載の画像処理装置。
【請求項４】
前記第２の判別手段により受信した画像情報と現在の記録能力とが不一致であると判別した場合に、該受信した画像情報が該不一致による弊害がある旨をユーザに報知する報知手段を有することを特徴とする請求項１記載の画像処理装置。
【請求項５】
ユーザに画像通信状況を示す情報をレポートとして一括報知する通信レポート記録手段を備え、
前記記録制御手段は、既に一度受信した画像情報の記録を実行した旨を示す情報を前記レポートに付加設定することを特徴とする請求項１記載の画像処理装置。
【請求項６】
現在または過去の画像処理動作状況を報知する表示手段を備え、
前記記録制御手段は、前記第２の判別手段による判別結果を示す不一致あるいは一致を示す情報を前記表示手段に表示することを特徴とする請求項１記載の画像処理装置。
【請求項７】
情報処理装置と通信するインタフェース手段を備え、
前記記録制御手段は、前記第２の判別手段による判別結果を示す不一致あるいは一致を示す情報を前記インタフェース手段を介して前記情報処理装置に送信することを特徴とする請求項１記載の画像処理装置。
【請求項８】
モノクロとカラーの画像情報を受信し、該画像情報を複数の記録能力から１つを選択して記録処理を実行可能な記録部を備える画像処理装置における画像処理方法であって、
受信して記憶手段に記憶される画像情報がカラー画像であるかモノクロ画像であるか、または前記記録部の記録能力を判別する第１の判別ステップと、
前記第１の判別ステップとによる判別結果に従い、受信した画像情報と現在の記録能力との一致または不一致を判別する第２の判別ステップと、
前記第２の判別ステップによる判別結果に基づく不一致あるいは一致を示す情報を受信している前記画像情報に合成する画像合成ステップと、
前記第２の判別ステップにより不一致と判別された場合に、ユーザにより前記不一致による弊害を許容する指示がある場合に、前記画像合成手段により前記不一致を示す情報が画像合成された合成画像情報を前記第１の判別ステップにより判別された記録部により強制的に記録する記録制御ステップと、
を有することを特徴とする画像処理方法。
【請求項９】
前記記録制御ステップは、前記第２の判別ステップにより一致と判別された場合に、前記画像合成ステップにより前記一致を示す情報が画像合成された合成画像情報を前記第１の判別ステップにより判別された記録部により記録することを特徴とする請求項８記載の画像処理方法。
【請求項１０】
前記画像合成ステップは、既に一度受信した画像情報の記録を実行した旨を示す情報を前記画像情報に合成可能とすることを特徴とする請求項８記載の画像処理方法。
【請求項１１】
前記第２の判別ステップにより受信した画像情報と現在の記録能力とが不一致であると判別した場合に、該受信した画像情報が該不一致による弊害がある旨をユーザに報知する報知ステップを有することを特徴とする請求項８記載の画像処理方法。
【請求項１２】
ユーザに画像通信状況を示す情報をレポートとして一括報知する通信レポート記録ステップを備え、
前記記録制御ステップは、既に一度受信した画像情報の記録を実行した旨を示す情報を前記レポートに付加設定することを特徴とする請求項８記載の画像処理方法。
【請求項１３】
現在または過去の画像処理動作状況を表示手段に報知する表示ステップを備え、
前記記録制御ステップは、前記第２の判別ステップによる判別結果を示す不一致あるいは一致を示す情報を前記表示手段に表示することを特徴とする請求項８記載の画像処理方法。
【請求項１４】
前記記録制御ステップは、前記第２の判別ステップによる判別結果を示す不一致あるいは一致を示す情報をインタフェース手段を介して情報処理装置に送信することを特徴とする請求項８記載の画像処理方法。
【請求項１５】
請求項８〜１４のいずれかに記載の画像処理方法を実現するプログラムを記憶したことを特徴とするコンピュータが読み取り可能な記憶媒体。
【請求項１６】
請求項８〜１４のいずれかに記載の画像処理方法を実現することを特徴とするプログラム。
【発明の詳細な説明】
【０００１】
【発明の属する技術分野】
本発明は、モノクロとカラーの画像情報を受信し、該画像情報を複数の記録能力から１つを選択して記録処理を実行可能な記録部を備える画像処理装置および画像処理方法およびンピュータが読み取り可能な記憶媒体およびプログラムに関するものである。
【０００２】
【従来の技術】
従来から、ＩＴＵ−ＴのＴ．３０規格のファクシミリ伝送手順に基づいて二値のモノクロファクシミリ伝送を行うとともに、独自の手順によってカラーファクシミリ伝送を行うことができる画像処理装置が提案されている。
【０００３】
また、近年、ＩＴＵ−Ｔの規格において、カラーファクシミリ伝送手順が標準化されるに至った。
【０００４】
これに伴って、標準化されたファクシミリ伝送手順に基づいて、モノクロとカラーのファクシミリ伝送を行うことができる装置も提案されている。
【０００５】
一方、ファクシミリ装置の記録部として応用することができる、例えばインクジェット方式のプリンタには、モノクロ記録専用のモノクロカートリッジ、モノクロに加えて、イエロー、マゼンタ、シアンのインクを備え、モノクロとカラー記録が可能なカラーカートリッジ、さらに、写真画像などをより鮮明に記録することができるように、インクの組成を細かくした写真記録用カラーカートリッジなど、複数種類のカートリッジの中の１つをユーザが選択できるようになっているものがある。
【０００６】
【発明が解決しようとする課題】
しかしながら、従来は、受信したファクシミリ画像の種類と、記録のためのカートリッジとが一致しない場合に関する取り扱いが十分ではなかった。例えば受信した画像の種類とカートリッジの種類に関わらず、受信された画像はその時点で装着されているカートリッジを使って、強制的に出力されてしまっていた。
【０００７】
また、画像処理によりカラー画像からモノクロ画像に変換した後にモノクロ記録を行う場合もあるが、出力されたモノクロ画像が、元からモノクロ画像なのか、画像処理により変換されたモノクロ画像になったのかユーザには分からないという問題が生じる。
【０００８】
本発明は、上記の問題点を解決するためになされたもので、本発明の目的は、受信して記憶手段に記憶される画像情報がカラー画像であるかモノクロ画像であるか、または記録部の記録能力を判別し、該判別結果に従い、受信した画像情報と現在の記録能力との一致または不一致を判別して、該判別結果を示す不一致あるいは一致を示す情報を受信している画像情報に合成して、ユーザにより不一致による弊害を許容する指示がある場合に、不一致を示す情報が合成された合成画像情報を記録部により強制的に記録することにより、受信された画像情報がオリジナルで出力されたものか、受信後、記録部の能力に応じて、その内容が変更された画像として記録されたものかを記録結果から事後確認できるという経済性と利便性に優れた画像記録処理環境を自在に整備することができる画像処理装置および画像処理方法およびンピュータが読み取り可能な記憶媒体およびプログラムを提供することである。
【０００９】
【課題を解決するための手段】
本発明に係る第１の発明は、モノクロとカラーの画像情報を受信し、該画像情報を複数の記録能力から１つを選択して記録処理を実行可能な記録部を備える画像処理装置であって、受信して記憶手段に記憶される画像情報がカラー画像であるかモノクロ画像であるか、または前記記録部の記録能力を判別する第１の判別手段（図６のステップＳ４０２）と、前記第１の判別手段とによる判別結果に従い、受信した画像情報と現在の記録能力との一致または不一致を判別する第２の判別手段（図６のステップＳ４０３〜Ｓ４０６）と、前記第２の判別手段による判別結果に基づく不一致あるいは一致を示す情報を受信している前記画像情報に合成する画像合成手段（図６のステップＳ４０７）と、前記第２の判別手段により不一致と判別された場合に、ユーザにより前記不一致による弊害を許容する指示がある場合に（図８のステップＳ８０５）、前記画像合成手段により前記不一致を示す情報が画像合成された合成画像情報を前記第１の判別手段により判別された記録部により強制的に記録する記録制御手段（図６のステップＳ４０７）とを有することを特徴とする。
【００１０】
本発明に係る第２の発明は、前記記録制御手段は、前記第２の判別手段により一致と判別された場合に、前記画像合成手段により前記一致を示す情報が画像合成された合成画像情報を前記第１の判別手段により判別された記録部により記録することを特徴とする。
【００１１】
本発明に係る第３の発明は、前記画像合成手段は、既に一度受信した画像情報の記録を実行した旨を示す情報を前記画像情報に合成可能とすることを特徴とする。
【００１２】
本発明に係る第４の発明は、前記第２の判別手段により受信した画像情報と現在の記録能力とが不一致であると判別した場合に、該受信した画像情報が該不一致による弊害がある旨をユーザに報知する報知手段（図５のステップＳ３０８）を有することを特徴とする。
【００１３】
本発明に係る第５の発明は、ユーザに画像通信状況を示す情報をレポートとして一括報知する通信レポート記録手段（図６のステップＳ４０７）を備え、前記記録制御手段は、既に一度受信した画像情報の記録を実行した旨を示す情報を前記レポートに付加設定することを特徴とする。
【００１４】
本発明に係る第６の発明は、現在または過去の画像処理動作状況を報知する表示手段を備え、前記記録制御手段は、前記第２の判別手段による判別結果を示す不一致あるいは一致を示す情報を前記表示手段に表示することを特徴とする。
【００１５】
本発明に係る第７の発明は、情報処理装置と通信するインタフェース手段を備え、前記記録制御手段は、前記第２の判別手段による判別結果を示す不一致あるいは一致を示す情報を前記インタフェース手段を介して前記情報処理装置に送信することを特徴とする。
【００１６】
本発明に係る第８の発明は、モノクロとカラーの画像情報を受信し、該画像情報を複数の記録能力から１つを選択して記録処理を実行可能な記録部を備える画像処理装置における画像処理方法であって、受信して記憶手段に記憶される画像情報がカラー画像であるかモノクロ画像であるか、または前記記録部の記録能力を判別する第１の判別ステップ（図６のステップＳ４０２）と、前記第１の判別ステップとによる判別結果に従い、受信した画像情報と現在の記録能力との一致または不一致を判別する第２の判別ステップ（図６のステップＳ４０３〜Ｓ４０６）と、前記第２の判別ステップによる判別結果に基づく不一致あるいは一致を示す情報を受信している前記画像情報に合成する画像合成ステップ（図６のステップＳ４０７）と、前記第２の判別ステップにより不一致と判別された場合に、ユーザにより前記不一致による弊害を許容する指示がある場合に（図８のステップＳ８０５）、該前記画像合成手段により画像合成された合成画像情報を前記第１の判別ステップにより判別された記録部により強制的に記録する記録制御ステップ（図６のステップＳ４０７）とを有することを特徴とする。
【００１７】
本発明に係る第９の発明は、前記記録制御ステップは、前記第２の判別ステップにより一致と判別された場合に、前記画像合成ステップにより画像合成された合成画像情報を前記第１の判別ステップにより判別された記録部により記録することを特徴とする。
【００１８】
本発明に係る第１０の発明は、前記画像合成ステップは、既に一度受信した画像情報の記録を実行した旨を示す情報を前記画像情報に合成可能とすることを特徴とする。
【００１９】
本発明に係る第１１の発明は、前記第２の判別ステップにより受信した画像情報と現在の記録能力とが不一致であると判別した場合に、該受信した画像情報が該不一致による弊害がある旨をユーザに報知する報知ステップ（図５のステップＳ３０８）を有することを特徴とする。
【００２０】
本発明に係る第１２の発明は、ユーザに画像通信状況を示す情報をレポートとして一括報知する通信レポート記録ステップ（図６のステップＳ４０７）を備え、前記記録制御ステップは、既に一度受信した画像情報の記録を実行した旨を示す情報を前記レポートに付加設定することを特徴とする。
【００２１】
本発明に係る第１３の発明は、現在または過去の画像処理動作状況を表示手段に報知する表示ステップを備え、前記記録制御ステップは、前記第２の判別ステップによる判別結果を示す不一致あるいは一致を示す情報を前記表示手段に表示することを特徴とする。
【００２２】
本発明に係る第１４の発明は、前記記録制御ステップは、前記第２の判別ステップによる判別結果を示す不一致あるいは一致を示す情報をインタフェース手段を介して情報処理装置に送信することを特徴とする。
【００２３】
本発明に係る第１５の発明は、第８〜第１４の発明のいずれかに記載の画像処理方法を実現するプログラムを記憶したコンピュータが読み取り可能な記憶媒体であることを特徴とする。
【００２４】
本発明に係る第１６の発明は、第８〜第１４の発明のいずれかに記載の画像処理方法を実現するプログラムであることを特徴とする。
【００２５】
【発明の実施の形態】
図１は、本発明の一実施形態を示す画像処理装置の構成を説明するブロック図であり、例えばインクジェット方式の記録ヘッドを備えるファクシミリ装置に対応する。
【００２６】
図１において、２４は装置全体を制御するための制御部であり、制御部２４はＣＰＵ２５と、ＣＰＵ２５が実行する制御プログラムや各種データを記憶しているＲＯＭ２６と、ＣＰＵ２５が種々の処理を実行するにあたり作業領域として使用したり、各種データを一時的に保存するためのＲＡＭ２７等を有している。
【００２７】
記録ヘッド５は、フレキシブルケーブル１９を介して制御部２４に接続し、フレキシブルケーブル１９には制御部２４から記録ヘッド５に対する制御信号線、画像信号線が含まれている。また、フォトセンサ８の出力はＡ／Ｄ変換回路８４により数値化し、ＣＰＵ２５にて解析可能な構成となっている。
【００２８】
キャリッジモータ３０は、モータ駆動回路３３によるパルスステップ数によって回転可能なモータである。さらに、制御部２４は、モータ駆動回路３３を介しキャリッジモータ３０を、モータ駆動回路３２を介し搬送モータ３１を、モータ駆動回路５３を介し読取りモータ５２を制御し、キャリッジホームセンサ２１からの出力を入力している。
【００２９】
さらに、制御部２４は、読取りセンサ４８、外部コンピュータ５６とデータを送受信する外部インタフェース５４、公衆電話回線５７と送受信データを送受する回線制御回路５５などの画像データの入出力装置を接続しており、ファクシミリ送受信およびコピー、外部コンピュータのプリンタ、スキャナとして動作可能となっている。
【００３０】
さらに、制御部２４は装置利用者が種々の操作や指示を行う操作パネル５８を接続している。操作パネル５８にはメッセージ表示を行うためのＬＣＤ５９が設けられている。
【００３１】
次に、上記の様な構成を備える画像処理装置におけるファクシミリ受信処理について説明する。
【００３２】
図２は、本発明に係る画像処理装置における第１の画像処理手順の一例を示すフローチャートであり、ファクシミリ受信処理（特に、モノクロファクシミリ受信処理とカラーファクシミリ受信処理を区別するための属性を管理する処理）手順に対応する。なお、Ｓ１０１〜Ｓ１１０は各ステップを示す。
【００３３】
図３は、図１に示した画像処理装置で管理される画像管理レコードの一例を示す図であり、本画像処理装置における受信単位の画像を管理するレコードと個々の画像を構成するページを管理するレコードの構成に対応し、該画像管理レコードはＲＡＭ２７の所定領域に確保される。
【００３４】
まず、ファクシミリの受信が開始されると、ステップＳ１０１では、図３に示した画像管理レコード（ｐｉｘ　ｍ（ｍ＝１，Ｍ））の領域を１つ（ｐｉｘ　ｍ）確保し、画像管理レコードのリストに追加する。
【００３５】
次に、ステップＳ１０２では、ステップＳ１０１で領域を確保した画像管理レコード（ｐｉｘ　ｍ）の属性フィールド（ｐｉｘ　ａｔｔｒ．）の値をモノクロページのみから構成されるファクシミリ受信画像であることを示す属性となるように初期化する。
【００３６】
続いて、ステップＳ１０３では、図３に示すページ管理レコード（ｐａｇｅ　ｎ（ｎ＝１，Ｎ）の領域を１つ確保する。
【００３７】
ここで、もし、そのページ管理レコードがリストにある１受信単位（ｐｉｘ　ｍ）の最初のページ（ｐａｇｅ　１）ならば、図３に示すように、そのページをアドレスするポインタをステップＳ１０１で確保された領域（ｐｉｘ　ｍ）のフィールド（ｐａｇｅ　１のｐｏｉｎｔｅｒ）に設定する。これに対して、もし、そのページ管理レコードが２ページ目以降のものであるならば、図３に示すように、確保された領域（ｐｉｘ　ｍ）のページ管理レコードのリストにそのページをアドレスするポインタ９０２，９０４を追加する。
【００３８】
そして、ステップＳ１０４では、これから受信するページがモノクロ画像か、カラー画像かを判定する。そして、もし、モノクロ画像である場合は、ステップＳ１０５に進み、カラー画像であるならば、処理はステップＳ１０７に進む。
【００３９】
そして、ステップＳ１０５では、ステップＳ１０３で確保した領域（ｐａｇｅｎ）のフィールド（ｐａｇｅ　ａｔｔｒ．）にモノクロページを示す属性値を設定する。続く、ステップＳ１０６では、モノクロページのファクシミリ画像を受信し、さらに処理はステップＳ１１０に進む。
【００４０】
一方、ステップＳ１０７では、ステップＳ１０３で確保した領域（ｐａｇｅ　ｎ）のフィールド（ｐａｇｅ　ａｔｔｒ．）にカラーページを示す属性値を設定する。続く、ステップＳ１０８では、ステップＳ１０１で確保した（ｐｉｘ　ｍ）のフィールド（ｐａｇｅ　ａｔｔｒ．）を少なくとも１ページはカラーページを含むファクシミリ受信画像であることを示す属性値に書き換える。
【００４１】
そして、ステップＳ１０９では、カラーページのファクシミリ画像を受信し、さらに、処理はステップＳ１１０に進む。
【００４２】
そして、ステップＳ１１０では、ファクシミリ伝送手順に従って、次のページの受信があるか否かを調べる。ここで、次ページの受信があるならば、処理はステップＳ１０３に戻り、次ページの受信がないならば、ファクシミリ受信処理を終了する。
【００４３】
次に、ファクシミリ受信画像を自動的に記録する処理について、図４に示すフローチャートを参照して説明する。
【００４４】
図４は、本発明に係る画像処理装置における第２の画像処理手順の一例を示すフローチャートであり、各手順はＲＯＭ２６に格納されており、該手順をＲＡＭ２７にロードしてＣＰＵ２５が実行する構成となっている。なお、Ｓ２０１〜Ｓ２１６は各ステップを示す。
【００４５】
まず、ステップＳ２０１では、ファクシミリ受信画像が、図３に示した画像管理レコードのリストに存在するか否かを判断する。ここで、受信画像があると判断された場合には、そのリストを選択して、処理はステップＳ２０２に進み、受信画像がないと判断された場合には、ステップＳ２０１へ戻る。
【００４６】
そして、ステップＳ２０２では、ステップＳ２０１で選択された画像管理レコードのリストにページが確定した先頭ページの管理レコードが存在するか否かを判断する。ここで、ページが確定した先頭ページが存在すると判断した場合には、ステップＳ２０３へ進み、ページが確定した先頭ページが存在しないと判断した場合には、ステップＳ２０１へ戻る。
【００４７】
そして、ステップＳ２０３では、ステップＳ２０１で選択された画像管理レコードのリストの属性フィールド（ｐｉｘ．ａｔｔｒ．）に、少なくとも１ページはカラーページを含むファクシミリ受信画像であることを示す属性値が設定されているか否かを判断する。ここで、その属性値がモノクロページのみで構成されることを示している場合には、ステップＳ２０４へ進み、一方、少なくとも１ページはカラーページを含むファクシミリ受信画像であることを示す場合には、ステップＳ２１２へ進む。
【００４８】
そして、ステップＳ２０４では、フレキシブルケーブル１９を介して、装着されているカートリッジの種類がモノクロ記録専用のモノクロカートリッジであるか、あるいはカラー記録が可能なカラーカートリッジあるいは淡色カートリッジであるかを調べる。ここで、装着記録ヘッドがモノクロ記録専用のモノクロカートリッジならば、処理はステップＳ２１１に進み、一方、装着記録ヘッドがカラー記録可能なものである場合は、処理はステップＳ２０５に進む。
【００４９】
そして、ステップＳ２０５では、装着されているカートリッジが一般的なカラー記録を行うカラーカートリッジであるか、あるいは写真記録用の淡色カートリッジであるかを調べる。ここで、通常のカラーカートリッジが装着されていると判別された場合は、ステップＳ２０６に進み、通常のカラーカートリッジより高価な淡色カートリッジが装着されていると判別した場合には、ステップＳ２１０に進む。
【００５０】
そして、ステップＳ２１０では、図３に示した画像管理レコードのフィールド（ｐｉｘ　ａｔｔｒ．）に、メモリ代行受信された画像であることを示す属性値を設定する。これによって、ステップＳ２０１で選択されたリストは自動記録の対象から除外されることとなり、一般的なプリンタ画像より低い解像度しか要求されないファクシミリ画像の記録において高価なインクを使用することが抑制される。その後、処理はステップＳ２０１へ戻る。
【００５１】
そして、ステップＳ２０６において、この処理を実行する直前のファクシミリ受信画像の自動記録処理でブラック（Ｋ）インクのインクなしが検出されていたかどうかを調べる。ここで、ブラック（Ｋ）インクが残存していたと判断した場合は、処理はステップＳ２０７に進み、ステップＳ２０１で選択されたリストに対応する各ページの記録を自動記録モードで実行する。なお、この記録処理の詳細については後述する。これに対して、ブラック（Ｋ）インクが残存していなければ、記録不可能と判断して処理はステップＳ２１０へ進み、メモリ代行受信処理を実行する。
【００５２】
次に、ステップＳ２０８では、ステップＳ２０７で行った選択リストに対応した各ページの記録が正常に終了したかどうかを判断する。ここで、その記録が正常に終了していると判断した場合には、ステップＳ２０９に進み、正常に記録が終了したファクシミリ受信画像に対応したリストを図３に示した画像管理レコードから削除し、ＲＡＭ２７上のその記憶領域を開放する。その後、ステップＳ２０１へ戻る。
【００５３】
これに対して、記録が正常に終了したと判断されない場合は、ステップＳ２１０へ進み、メモリ代行受信を実行する。
【００５４】
また、ステップＳ２１１において、この処理を実行する直前のファクシミリ受信画像の自動記録処理でブラック（Ｋ）インクのインクなしが検出されていたかどうかを判断する。ここで、ブラック（Ｋ）インクが残存していると判断した場合は、ステップＳ２０７に進み、ブラック（Ｋ）インクが残存していないと判断した場合は、記録不可能と判断して処理はステップＳ２１０に進み、メモリ代行受信を実行する。
【００５５】
さて、受信画像に少なくとも１ページはカラーページを含むと判定されて、処理がステップＳ２１２に進んだ場合、まず、フレキシブルケーブル１９を介して、装着カートリッジの種類がモノクロ記録専用のモノクロカートリッジであるかを調べる。ここで、そのカートリッジがモノクロカートリッジであると判定された場合、カラーファクシミリ受信画像を記録できないため、処理はステップＳ２１０に進む。
【００５６】
これに対して、カラー記録可能なカートリッジが装着されていると判断されると、ステップはステップＳ２１３に進み、さらに、その装着カートリッジが通常のカラー記録を行うカラーカートリッジであるか、あるいは、淡色カートリッジであるかを調べる。ここで、通常のカラーカートリッジが装着されていると判定された場合は、処理はステップＳ２１４に進む。これに対して、通常のカラーカートリッジより高価な淡色カートリッジが装着されていると判定されたならば、処理はステップＳ２１０に進み、選択されたリストを自動記録の対象から除外してメモリ代行受信を実行する。これによって、高価なインクの使用が抑制される。
【００５７】
処理はステップＳ２１４において、この処理の直前のカラーファクシミリ受信画像の自動記録処理で、シアン（Ｃ），マゼンタ（Ｍ），イエロー（Ｙ）インクのいずれかのインクなしが検出されたかどうかを調べる。ここで、ＣＭＹインク全てのインクがあると判定されれば、処理はステップＳ２１５に進み、ＣＭＹインクのうち、いずれかの色のインクがないと判定されれば、記録不可能と判断して、処理はステップＳ２１０に進んで、メモリ代行受信を実行する。
【００５８】
ステップＳ２１５では、さらに、この処理の直前のファクシミリ受信画像の自動記録処理において、ブラック（Ｋ）インクのインクなしが検出されていたかどうかを判断する。ここで、ブラック（Ｋ）インクが残存していると判定された場合は、処理はステップＳ２０７に進み、ブラック（Ｋ）インクがないと判定された場合は、ステップＳ２１６に進む。
【００５９】
ステップＳ２１６では、ＣＭＹインクを使って、ブラック（Ｋ）インクの代わりに黒を発色させるプロセスブラックの処理がユーザによって許可されているかどうかを判断する。ここで、プロセスブラックの処理が許可されているならば、処理はステップＳ２０７に進み、その処理が許可されていないと判断した場合は、記録不可能と判断して、ステップＳ２１０に進んで、メモリ代行受信を実行する。
【００６０】
図５は、本発明に係る画像処理装置における第３の画像処理手順の一例を示すフローチャートであり、各手順はＲＯＭ２６に格納されており、該手順をＲＡＭ２７にロードしてＣＰＵ２５が実行する構成となっている。なお、Ｓ３０１〜Ｓ３０８は各ステップを示す。
【００６１】
まず、ステップＳ３０１では、ステップＳ２０１で選択されたリストの先頭ページが確定することを待ち合わせ、そのページが確定したならば、そのページを選択して処理はステップＳ３０２に進み、指定されたモードで選択されたページの記憶を行う。なお、ページ記録処理の詳細は後述する。
【００６２】
次に、ステップＳ３０３では、ステップＳ３０２で行ったページの記録が正常に終了したか否かを調べて判断し、もし、正常終了したと判定されたならば、処理はステップＳ３０４に進み、異常終了したと判定した場合は、処理はステップＳ３０８に進む。
【００６３】
ステップＳ３０４では、選択されたリストに対応する受信単位の記録処理が自動記録モードで起動されたかどうかを判断する。ここで、自動記録モードで起動された場合は、ステップＳ３０５へ進み、正常記録が終了したページに対応するページ管理レコードを図３に示した画像管理レコードから削除し、その領域を開放する。その後、ステップＳ３０６に進む。これに対して、自動記録モードが起動されていない場合は、ステップＳ３０６へ進む。
【００６４】
ステップＳ３０６では、ステップＳ２０１で選択されたリストに対応する受信画像に次のページがあるかどうかを調べる。ここで、次のページがあると判定された場合は、ステップＳ３０１へ戻り、次のページはないと判定された場合は、ステップＳ３０７へ進む。
【００６５】
そして、ステップＳ３０７では、正常終了の旨を通知（具体的にはステップＳ２０８に通知する）して、記録処理を終了する。
【００６６】
また、ステップＳ３０８では、異常終了の旨を通知（具体的にはステップＳ２０８に通知する）して、記録処理を終了する。
【００６７】
図６は、本発明に係る画像処理装置における第４の画像処理手順の一例を示すフローチャートであり、各手順（ステップＳ３０２のページ記録処理の詳細手順）はＲＯＭ２６に格納されており、該手順をＲＡＭ２７にロードしてＣＰＵ２５が実行する構成となっている。なお、Ｓ４０１〜Ｓ４１４は各ステップを示す。
【００６８】
まず、ステップＳ４０１では、ページ記録処理が自動記録モードで起動されたかどうかを調べる。ここで、その処理が自動記録モードで起動されたならば、処理はステップＳ４０２に進み、自動記録モードで起動されたのではない場合は、カラー画像をモノクロで記録することや高価なインクを使ってより高精細な画像を出力することなどがユーザによって許可されたものと判断し、処理はステップＳ４０７へ進む。
【００６９】
次に、ステップＳ４０２では、ステップＳ３０１で選択されたリストのページ管理レコードのフィールド（ｐａｇｅ　ａｔｔｒ．）に、カラーページであることを示す属性値が設定されているか否かを判断する。ここで、その属性値がモノクロページを示すものである場合は、ステップＳ４０３へ進み、カラーページを示す場合には、ステップＳ４０５へ進む。
【００７０】
そして、ステップＳ４０３では、フレキシブルケーブル１９を介して、装着カートリッジがモノクロカートリッジかどうかを調べる。ここで、そのカートリッジがモノクロカートリッジであると判断した場合には、ステップＳ４０７に進み、それ以外の種類のカートリッジであると判断した場合には、ステップＳ４０４へ進む。
【００７１】
そして、ステップＳ４０４では、装着カートリッジが通常のカラーカートリッジか、淡色カートリッジかどうかを判断する。ここで、そのカートリッジが通常のカラーカートリッジであると判断した場合は、ステップＳ４０７に進み、通常のカラーカートリッジより高価な淡色カートリッジが装着されていると判断した場合には、ステップＳ４１４へ進み、ステップＳ３０１で選択されたリストに対応するファクシミリ画像を自動記録の対象から除外する。これによって、一般的なプリンタ画像より低い解像度しか要求されないファクシミリ画像の記録において、高価なインクを用いた記録が抑制される。そして、記録は正常に記録できないことを通知する。なお、この通知は、ステップＳ３０３で判別される。
【００７２】
一方、ステップＳ４０５では、フレキシブルケーブル１９を介して、装着カートリッジがモノクロカートリッジかどうかを判断する。ここで、そのカートリッジがモノクロカートリッジであると判断した場合は、カラーページ画像を記録できないため、処理はステップＳ４１４に進み、カラー記録可能なカートリッジである場合は、ステップＳ４０６へ進む。
【００７３】
そして、ステップＳ４０６では、装着カートリッジが通常のカートリッジであるか、あるいは淡色カートリッジであるかを調べる。もし、通常のカラーカートリッジが装着されていると判別した場合は、ステップＳ４０７に進み、通常のカラーカートリッジより高価な淡色カートリッジが装着されていると判別した場合には、ステップＳ４１４に進み、ステップＳ３０１で選択されたリストに対応するファクシミリ画像を自動記録の対象から除外する。
【００７４】
これによって、高価なインクを使用したファクシミリ画像記録が抑制される。そして、記録は正常に記録できないことを通知する。この通知は、ステップＳ３０３で判別される。
【００７５】
さて、ステップＳ４０７では、記録ページのファクシミリ画像情報をライン毎または特定のブロック毎に複合化処理し、画像の描画処理を行う。その際に、リストのページ管理レコードのフィールド（ｐａｇｅ　ａｔｔｒ．）に、カラーページであることを示す属性値が設定されていて、かつ装着カートリッジがモノクロカートリッジかまたは淡色カートリッジの場合、その相応の画像処理を行うと同時に、画像処理を行ったことを示す情報を生成し、同時に画像の合成描画処理を行う。また、画像処理を行ったことを示す情報を操作パネルのＬＣＤ５９に表示する。
【００７６】
また、ページ管理レコードのフィールド（ｐａｇｅ　ａｔｔｒ．）に、画像処理を行ったことを示す属性値を設定し、後のレポート出力時、または画像処理を行って描画を行ったことを示す属性値を設定し、後のレポート出力時、または後の再合成描画処理にその情報を付加して記録を行う。
【００７７】
また、記録部の能力と受信画像の種別に従い、無駄なカラー画像記録を制限するために必要な相応の画像処理を行ったことを示す情報を、外部インタフェース５４を介して外部コンピュータ５６に通知し、外部コンピュータ５６上の表示装置に表示する。この描画処理を実行中に、ステップＳ４０８では、記録系に異常が発生しているかどうかを判別し、異常が検出されたならば、ステップＳ４１４に進み、異常が検出されなかったと判別した場合は、ステップＳ４０９に進む。
【００７８】
そして、ステップＳ４０９では、１ページ分の記録が終了したかどうかを調べる。ここで、記録未終了であると判断された場合は、ステップＳ４０７に戻って、描画処理を続行するが、その記録が終了したと判断した場合には、ステップＳ４１０に進む。
【００７９】
そして、ステップＳ４１０では、再び、ページ記録処理が自動記録モードで起動されたか否かを判定し、自動記録モードで起動されていると判定した場合には、ステップＳ４１１に進んで、インク残量検知処理を実行し、自動記録モードで起動されていないと判定した場合には、その処理をスキップして、ステップＳ４１３へ進む。
【００８０】
そして、ステップＳ４１１では、記録したページがモノクロ記録かカラー記録かに応じたインク残量検知処理を行う。なお、該インク残量検知処理の詳細については後述する。
【００８１】
次に、ステップＳ４１２では、インク残量検知処理によって、インクありと判断されたかどうかを調べる。ここで、インク有りと判断された場合には、ステップＳ４１３へ進むが、インクなしと判断された場合には、ステップＳ４１４に進む。
【００８２】
そして、ステップＳ４１３では、正常終了の旨を通知（具体的には、ステップＳ３０３に通知）して、ページ記録処理を終了する。
【００８３】
また、ステップＳ４１４では、異常終了の旨を通知（具体的には、ステップＳ３０３に通知）して、ページ記録処理を終了する。
【００８４】
次に、ステップＳ４１１のインク残量検知処理について図７に示すフローチャートを参照して説明する。
【００８５】
図７は、本発明に係る画像処理装置における第５の画像処理手順の一例を示すフローチャートであり、各手順（ステップＳ４１１のインク残量検知処理の詳細手順）はＲＯＭ２６に格納されており、該手順をＲＡＭ２７にロードしてＣＰＵ２５が実行する構成となっている。なお、Ｓ５０１〜Ｓ５１７は各ステップを示す。
【００８６】
まず、ステップＳ５０１では、フレキシブルケーブル１９を介して、装着カートリッジがモノクロカートリッジであるか、あるいはカラー可能なカートリッジ（カラーカートリッジ或いは淡色カートリッジ）であるかを判定する。ここで、カートリッジがモノクロカートリッジであると判定した場合には、ステップＳ５０２へ進み、カラー記録可能なカートリッジであると判定した場合には、ステップＳ５０６に進む。
【００８７】
そして、ステップＳ５０２では、モノクロカートリッジに内蔵された記録ヘッド（図示しない）をフォトセンサ８の位置に移動させ、赤外線ＬＥＤ（図示しない）を発光させて、ブラック（Ｋ）インクの吐出動作を行わせて、ブラック（Ｋ）インクの残量検知を行う。この吐出動作はフォトセンサ８の発光素子から受光素子への光軸を横切るようにして行う。
【００８８】
次に、ステップＳ５０３では、ステップＳ５０２の吐出処理後、パルス幅計数部８４のカウント値に基づいて、ブラック（Ｋ）インクの有無を判定する。ここで、ブラック（Ｋ）インクありと判定されたならば、処理はステップＳ５０４に進み、ブラック（Ｋ）インクなしと判定されたならば、処理はステップＳ５０５に進む。
【００８９】
そして、ステップＳ５０４では、インク有りの旨を通知し（ステップＳ４１２に通知）、一方、ステップＳ５０５ではインクなしの旨を通知し（ステップＳ４１２に通知）、その後、インク残量検知処理を終了する。
【００９０】
さて、ステップＳ５０６では、ページ記録処理していたそのページがモノクロ記録であったか或いはカラー記録であったかを判別する。ここで、モノクロ記録であったと判別した場合には、ステップＳ５０７に進み、カラー記録であったと判定した場合には、ステップＳ５０９に進む。
【００９１】
次に、ステップＳ５０７では、カラー記録可能なカートリッジ（カラーカートリッジ或いは淡色カートリッジ）に内蔵された記録ヘッド（図示しない）をフォトセンサ８の位置に移動させ、赤外線ＬＥＤ（図示しない）を発光させ、ブラック（Ｋ）インクを吐出するノズルにのみヒートパルスを与え、インク吐出動作を行わせて、ブラック（Ｋ）インクの残量検知を行う。
【００９２】
次に、ステップＳ５０８では、ステップＳ５０７の吐出処理後、パルス幅計数部８４のカウント値に基づいて、ブラック（Ｋ）インクの有無を判定する。ここで、ブラック（Ｋ）インクありと判定された場合は、処理はステップＳ５０４に進み、ブラック（Ｋ）インクなしと判定された場合には、処理はステップＳ５０５に進む。
【００９３】
また、ステップＳ５０９において、カラー記録可能なカートリッジ（カラーカートリッジ或いは淡色カートリッジ）に内蔵された記録ヘッド（図示しない）をフォトセンサ８の位置に移動させ、赤外線ＬＥＤ（図示しない）を発光させ、シアン（Ｃ）インクに対応するノズルにのみヒートパルスを与えインク吐出動作を行わせて、シアン（Ｃ）インクの残量検知を行う。
【００９４】
次に、ステップＳ５１０では、ステップＳ５０９の吐出動作後、パルス幅計数部８４のカウント値に基づいて、シアン（Ｃ）インクの有無を判定する。ここで、シアン（Ｃ）インクありと判定された場合は、処理はステップＳ５１１に進むが、シアン（Ｃ）インクなしと判定された場合は、ステップＳ５０５へ進む。
【００９５】
さらに、ステップＳ５１１では、ステップＳ５０９と同様にして、マゼンタ（Ｍ）インクの残量検知を行う。そして、ステップＳ５１２では、ステップＳ５１１の吐出動作後、ステップＳ５１０と同様にして、マゼンタ（Ｍ）インクの有無を判定する。ここで、マゼンタ（Ｍ）インクありと判定された場合は、ステップＳ５１３に進むが、マゼンタ（Ｍ）インクなしと判定された場合は、ステップＳ５０５に進む。
【００９６】
また、ステップＳ５１３では、ステップＳ５０９と同様にして、イエロー（Ｙ）インクの残量検知を行う。そして、ステップＳ５１４では、ステップＳ５１３の吐出動作後、ステップＳ５１０と同様にして、イエロー（Ｙ）インクの有無を判定する。ここで、イエロー（Ｙ）インクありと判定された場合には、ステップＳ５１５へ進むが、イエロー（Ｙ）インクなしと判定された場合には、ステップＳ５０５へ進む。
【００９７】
そして、ステップＳ５１５では、ステップＳ５０７と全く同様に、ブラック（Ｋ）インクの残量検知を行う。そして、ステップＳ５１６では、ステップＳ５１５の吐出動作後、ステップＳ５０８と同様に、ブラック（Ｋ）インクの有無を判定する。ここで、ブラック（Ｋ）インクありと判定された場合、ステップＳ５０４に進むが、ブラック（Ｋ）インクなしと判定された場合は、ステップＳ５１７へ進む。
【００９８】
そして、ステップＳ５１７では、ＣＭＹインクを使ってブラック（Ｋ）インクの代わりにブラックを表現するプロセスブラックの処理がユーザによって許可されているか否かを判別する。そして、もし、プロセスブラックの処理が許可されていると判別した場合には、ステップＳ５０４に進み、記録不可能と判断した場合は、ステップＳ５０５に進む。
【００９９】
図８は、本発明に係る画像処理装置における第６の画像処理手順の一例を示すフローチャートであり、各手順（自動受信画像記録選択処理を基本に、カートリッジの種類が適当でなかったために代行受信されたファクシミリ画像をユーザの指示に基づき、強制的に出力する処理手順）はＲＯＭ２６に格納されており、該手順をＲＡＭ２７にロードしてＣＰＵ２５が実行する構成となっている。なお、Ｓ８０１〜Ｓ８１２は各ステップを示す。
【０１００】
まず、ステップＳ８０１において、図３に示した画像管理レコードのリストの中に、図４に示したステップＳ２１０で代行受信属性値が設定されたものが存在するか否かを判断する。ここで、代行受信画像があると判定した場合には、そのリストを選択して、ステップＳ８０２に進み、代行受信画像がないと判定した場合には、代行受信画像強制記録の処理を終了する。
【０１０１】
ステップＳ８０２では、選択された画像がカラーページを含むか否かを判定する。もし、全てモノクロのページから構成される画像があると判断した場合は、ステップＳ８０３へ進み、少なくとも１ページ以上のカラーページを含む場合には、ステップＳ８０７へ進む。
【０１０２】
ステップＳ８０３では、フレキシブルケーブル１９を介して、装着カートリッジがモノクロカートリッジかどうかを判断する。ここで、そのカートリッジがモノクロカートリッジならば、ステップＳ８０６へ進み、そ以外の種類のカートリッジならば、ステップＳ８０４へ進む。
【０１０３】
さらに、ステップＳ８０４では、装着カートリッジが通常のカートリッジか或いは淡色カートリッジかどうかを調べる。ここで、そのカートリッジが通常のカートリッジであると判断した場合は、ステップＳ８０６に進み、通常のカラーカートリッジより高価な淡色カートリッジが装着されていると判別した場合は、ステップＳ８０５へ進む。
【０１０４】
そして、ステップＳ８０５では、ステップＳ８０１で選択された、一般的なプリンタ画像より低い解像度しか要求されないファクシミリ画像を、高価な淡色カートリッジを用いて記録するか否かをユーザに問い合わせる。そして、ここで、もし、ユーザが記録を許可するならば、ステップＳ８０６へ進み、ユーザが記録を許可しない場合は、ステップＳ８０１で選択された画像を強制出力の対象から除外し、次の代行受信画像を選択するためにステップＳ８０１へ戻る。
【０１０５】
そして、ステップＳ８０６では、ステップＳ８０１で選択された画像の各ページの記録を手動モードで行うように、図５に示したフローチャートに基づく記録処理を実行して、ステップＳ８０９に進む。
【０１０６】
一方、ステップＳ８０７では、フレキシブルケーブル１９を介して、装着カートリッジがモノクロカートリッジかどうかを判断する。ここで、そのカートリッジがモノクロカートリッジであると判断した場合は、ステップＳ８０８へ進み、それ以外の種類のカートリッジであると判断した場合は、ステップＳ８０４に進む。
【０１０７】
ステップＳ８０８では選択された画像に少なくとも１ページは含まれるカラーページを、モノクロに変換して記録するか否かをユーザに問い合わせる。ここで、もし、ユーザが記録を許可する場合は、ステップＳ８０６へ進み、ユーザが記録を許可しない場合は、ステップＳ８０１で選択された画像を強制出力の対象から除外し、次の代行受信画像を選択するためにステップＳ８０１に戻る。
【０１０８】
次に、ステップＳ８０９では、ステップＳ８０８で行った選択リストに対応した各ページの記録が正常に終了したかどうかを調べる。ここで、その記録が正常に終了したと判断した場合には、ステップＳ８１０へ進む。これに対して、記録が正常に終了したと判断されなかった場合には、代行受信画像強制記録の処理を終了する。この記録の終了時点では、画像データはメモリに保持したままにしておく。
【０１０９】
そして、ステップＳ８１０では、記録が正常に終了した画像を削除してよいか、ユーザに問い合わせる。ここで、記録が正常に終了した画像の削除が許可されている場合は、ステップＳ８０１に進む、記録が正常に終了した画像の削除が許可されていない場合は、ステップＳ８０１へ戻る。
【０１１０】
ステップＳ８１１では、記録が正常に終了した画像を構成するすべてのページを削除し、さらに、ステップＳ８１２では、記録が正常に終了した画像に対応したリストを図３に示した画像管理レコードから削除し、その記憶領域を開放し、ステップＳ８０１へ戻る。
【０１１１】
以上のように構成すれば、家庭用の廉価なカラーファクシミリにおいても、上記他の実施形態と同様、所期の目的を達成することができる。
【０１１２】
また、図８に示したステップＳ８０２では、代行受信したファクシミリ画像の各々について、カラーページを含むか否かを判定した。しかし、同ステップではすべてのファクシミリ受信画像にカラーページが含まれるか否かを判定し、その後のステップＳ８０３，Ｓ８０５およびステップＳ８０７，Ｓ８０８の処理も代行受信画像の強制記録処理の一番最初にのみ実行されるようにし、ステップＳ８０５において、淡色カートリッジによる記録が許可されなかったとき、またはステップＳ８０８において、カラーをモノクロに変換する記録が許可されなかったとき、代行受信画像の強制記録処理を終了するようにし、さらに、ステップＳ８１０で削除が許可されなかったとき、または、ステップＳ８１２の処理の後、ステップＳ８０６に戻るように構成すれば、ユーザは受信したファクシミリ画像と装着されたカートリッジの不一致等による問い合わせを最初の１回のみ受ければよいようにすることも可能である。
【０１１３】
なお、上記実施形態では、モノクロカートリッジ、カラーカートリッジ、写真記録用高精細カラーカートリッジ（淡色カートリッジ）のうちの１つを選択して装着できる構成のファクシミリ装置について説明した。
【０１１４】
しかしながら、本発明はこれによって限定されるものではない。例えばモノクロカートリッジとカラーカートリッジのいずれかを選択的に装着できる構成のファクシミリ措置であっても、以上説明した処理において、淡色カートリッジのチェックを行っているすべての処理ステップをスキップするように構成すれば、本発明の目的を達成することができる。
【０１１５】
さらに、以上説明した実施形態では、インクジェット方式の記録部を用いたファクシミリ装置を例に説明したが、本発明はこれに限定されるものではない。例えば、その記録部に電子写真方式のレーザビームプリンタを用い、そのプリンタが、例えばモノクロ記録用のトナーカートリッジと一般カラー記録用のカートリッジと、高精細記録用の超微粒のカラートナーカートリッジとをユーザが選択して装着できるような機構を備えていれば、本発明を適用して所期の目的を達成することができる。
【０１１６】
以上の実施形態は、特に、インクジェット記録方式の中でも、インク吐出を行わせるために利用されるエネルギーとして熱エネルギーを発生する手段（例えば電気熱変換体やレーザ光等）を備え、熱エネルギーによりインクの状態変化を生起させる方式を用いることにより記録の高密度化、高精細化が達成できる。
【０１１７】
以下、図９に示すメモリマップを参照して本発明に係る画像処理装置で読み出し可能なデータ処理プログラムの構成について説明する。
【０１１８】
図９は、本発明に係る画像処理装置で読み出し可能な各種データ処理プログラムを格納する記憶媒体のメモリマップを説明する図である。
【０１１９】
なお、特に図示しないが、記憶媒体に記憶されるプログラム群を管理する情報、例えばバージョン情報，作成者等も記憶され、かつ、プログラム読み出し側のＯＳ等に依存する情報、例えばプログラムを識別表示するアイコン等も記憶される場合もある。
【０１２０】
さらに、各種プログラムに従属するデータも上記ディレクトリに管理されている。また、各種プログラムをコンピュータにインストールするためのプログラムや、インストールするプログラムが圧縮されている場合に、解凍するプログラム等も記憶される場合もある。
【０１２１】
本実施形態における図２，図４〜図８に示す機能が外部からインストールされるプログラムによって、ホストコンピュータにより遂行されていてもよい。そして、その場合、ＣＤ−ＲＯＭやフラッシュメモリやＦＤ等の記憶媒体により、あるいはネットワークを介して外部の記憶媒体から、プログラムを含む情報群を出力装置に供給される場合でも本発明は適用されるものである。
【０１２２】
以上のように、前述した実施形態の機能を実現するソフトウエアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても、本発明の目的が達成されることは言うまでもない。
【０１２３】
この場合、記憶媒体から読み出されたプログラムコード自体が本発明の新規な機能を実現することになり、そのプログラムコードを記憶した記憶媒体は本発明を構成することになる。
【０１２４】
プログラムコードを供給するための記憶媒体としては、例えば、フレキシブルディスク，ハードディスク，光ディスク，光磁気ディスク，ＣＤ−ＲＯＭ，ＣＤ−Ｒ，磁気テープ，不揮発性のメモリカード，ＲＯＭ，ＥＥＰＲＯＭ等を用いることができる。
【０１２５】
また、コンピュータが読み出したプログラムコードを実行することにより、前述した実施形態の機能が実現されるだけでなく、そのプログラムコードの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【０１２６】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０１２７】
【発明の効果】
以上説明したように、本発明によれば、受信して記憶手段に記憶される画像情報がカラー画像であるかモノクロ画像であるか、または記録部の記録能力を判別し、該判別結果に従い、受信した画像情報と現在の記録能力との一致または不一致を判別して、該判別結果を示す不一致あるいは一致を示す情報を受信している画像情報に合成して、ユーザにより不一致による弊害を許容する指示がある場合に、不一致を示す情報が合成された合成画像情報を記録部により強制的に記録するので、受信された画像情報がオリジナルで出力されたものか、受信後、記録部の能力に応じて、その内容が変更された画像として記録されたものかを記録結果から事後確認できるという経済性と利便性に優れた画像記録処理環境を自在に整備することができるという効果を奏する。
【図面の簡単な説明】
【図１】本発明の一実施形態を示す画像処理装置の構成を説明するブロック図である。
【図２】本発明に係る画像処理装置における第１の画像処理手順の一例を示すフローチャートである。
【図３】図１に示した画像処理装置で管理される画像管理レコードの一例を示す図である。
【図４】本発明に係る画像処理装置における第２の画像処理手順の一例を示すフローチャートである。
【図５】本発明に係る画像処理装置における第３の画像処理手順の一例を示すフローチャートである。
【図６】本発明に係る画像処理装置における第４の画像処理手順の一例を示すフローチャートである。
【図７】本発明に係る画像処理装置における第５の画像処理手順の一例を示すフローチャートである。
【図８】本発明に係る画像処理装置における第６の画像処理手順の一例を示すフローチャートである。
【図９】本発明に係る画像処理装置で読み出し可能な各種データ処理プログラムを格納する記憶媒体のメモリマップを説明する図である。
【符号の説明】
５　記録ヘッド
２４　制御部
２５　ＣＰＵ
２６　ＲＯＭ
２７　ＲＡＭ
【図１】
2004032255.tif 000003
【図２】
2004032255.tif 000004
【図３】
2004032255.tif 000005
【図４】
2004032255.tif 000006
【図５】
2004032255.tif 000007
【図６】
2004032255.tif 000008
【図７】
2004032255.tif 000009
【図８】
2004032255.tif 000010
【図９】
2004032255.tif 000011